(57)【要約】【課題】  種々の表示態様が可能な通信端末機器を提供し、通信端末機器の利用範囲を広げることにある。【解決手段】  この携帯電話機１は、使用姿勢と待機姿勢とを採り得る機器であって、第１筐体３と、第２筐体５とを備えている。第１筐体３は、第１表示パネル１１を有する。第２筐体５は、第１筐体３に対し使用姿勢及び待機姿勢を採り得るよう装着され、使用姿勢を採った状態で第１表示パネル１１と同じ側に配置される第２表示パネル２１を有する。そして、第１及び第２表示パネル１１，２１の少なくとも一方は、外部からの入力操作を受け付ける操作画面を表示可能である。【選択図】      図２
2005260314.tif 000002
【特許請求の範囲】
【請求項１】
使用姿勢と待機姿勢とを採り得る通信端末機器であって、
第１表示部を有する第１筐体と、
前記第１筐体に対し前記使用姿勢及び待機姿勢を採り得るよう装着され、前記使用姿勢ろ採った状態で前記第１表示部と同じ側に配置される第２表示部を有する第２筐体とを備え、
前記第１及び第２表示部の少なくとも一方は、外部からの入力操作を受け付ける操作画面を表示可能である、
通信端末機器。
【請求項２】
前記第１及び第２表示部は、連携または連結して表示動作を行う、請求項１に記載の通信端末機器。
【請求項３】
前記使用姿勢には、通常モードによる制御が行われる第１使用姿勢と、特定機能モードによる制御が行われる第２使用姿勢とが含まれ、
前記第１及び第２筐体は、前記第１及び第２使用姿勢を採り得るよう構成されている、
請求項１または２に記載の通信端末機器。
【請求項４】
前記第１使用姿勢を採る場合に、前記第１及び第２表示部の少なくとも一方は、前記操作画面を表示する、請求項３に記載の通信端末機器。
【請求項５】
前記第２使用姿勢を採る場合に、前記第１及び第２表示部は、連携または連結して表示動作を行う、請求項３または４に記載の通信端末機器。
【請求項６】
前記特定機能には、ワイドカメラ機能が含まれる、請求項３から５のいずれか１項に記載の通信端末機器。
【発明の詳細な説明】
【技術分野】
【０００１】
本発明は、通信端末機器、特に、使用姿勢と待機姿勢とを採り得る通信端末機器に関する。
【背景技術】
【０００２】
携帯電話機等の通信端末機器において、２つの筐体が開閉自在に連結された折り畳み式のものが知られている。折り畳み式の携帯電話機では、一般に、２つの筐体が所定の角度をなすよう開いた使用姿勢と、これらが閉じた待機姿勢とを採り得るよう構成されている。一方の筐体の内面側には表示パネルが設けられ、他方の筐体の内面側には入力操作等のための操作ボタンが設けられている。
【０００３】
そして、従来の携帯電話機では、電話機能、メール機能のほかに、カメラ機能を有するものが既に提案されている。カメラ機能を有する機種では、通常、一方の筐体の背面側にカメラ部が設けられており、これによって撮影された画像が内面側の表示部に表示されるようになっている。
【０００４】
従来の携帯電話機では、例えば、複数台の携帯電話機を並べて配置して各表示部が並ぶようにし、複数の表示部に跨って１つの画像を表示させる技術が既に提案されている（例えば、特許文献１参照）。
【特許文献１】特開２００３−５９４７号公報
【発明の開示】
【発明が解決しようとする課題】
【０００５】
しかし、携帯電話機の利用者は、個人用のものとして１台のみ保有するのが一般的であるため、上記従来の技術のように、複数台並べて何らかの画像を表示させるのは、特殊な場合に限られる。そして、個々の携帯電話機においては、携帯性を確保するために筐体の大きさが制約を受けることから、表示部の大きさも必然的に制限され、表示内容を一定以上の大きさには表示することができない。
【０００６】
一方、従来の携帯電話機において、カメラ機能等の付加的な機能については種々の技術が提案されているものの、携帯電話機本体についての機能はあまり進歩していない。
【０００７】
本発明の課題は、種々の表示態様が可能な通信端末機器を提供し、通信端末機器の利用範囲を広げることにある。
【課題を解決するための手段】
【０００８】
請求項１に係る通信端末機器は、使用姿勢と待機姿勢とを採り得る機器であって、第１筐体と、第２筐体とを備えている。第１筐体は、第１表示部を有する。第２筐体は、第１筐体に対し使用姿勢及び待機姿勢を採り得るよう装着され、使用姿勢を採った状態で第１表示部と同じ側に配置される第２表示部を有する。そして、第１及び第２表示部の少なくとも一方は、外部からの入力操作を受け付ける操作画面を表示可能である。
【０００９】
この機器では、２つの筐体のいずれにも表示パネルが設けられていることから、使用姿勢において、表示パネルに操作画面を表示させて従来の携帯電話機の操作ボタンの代わりとしたり、２つの表示パネルに関連性のある内容を連携して表示させたり、或いは、２つの表示パネルに１つの画像を表示させたりすることができ、従来にない種々の利用形態が創出される。
【００１０】
なお、本発明において、操作画面は、少なくとも一方の表示部に表示されれば良く、いずれかの表示部に固定的に表示されるものではない。また、同じ側に配置されるとは、例えば、使用姿勢において、利用者が２つの表示部を同時に見ることができるよう配置されていることいい、１つの筐体の内面側及び背面側に設けられた表示部同士などは除かれる。
【００１１】
請求項２に係る通信端末機器は、請求項１の機器において、第１及び第２表示部は、連携または連結して表示動作を行う。
【００１２】
この機器では、２つの表示部が連携または連結して表示動作を行うので、より広い領域にわたって関連性のある情報を表示することができるとともに、表示領域が広がることによって表示内容が見やすくなる等のメリットがある。
【００１３】
なお、本発明において、連携という場合は、２つの表示部が互いに関連性のある表示内容を表示する態様をいう。この場合、２つの表示部には、関連性のある内容同士であれば異なる画面が表示されても良い。一方、連結という場合は、１つの表示内容が２つの表示部に跨って表示される態様をいう。
【００１４】
請求項３に係る通信端末機器は、請求項１または２の機器において、使用姿勢には、通常モードによる制御が行われる第１使用姿勢と、特定機能モードによる制御が行われる第２使用姿勢とが含まれる。そして、第１及び第２筐体は、第１及び第２使用姿勢を採り得るよう構成されている。
【００１５】
この機器では、複数の使用姿勢を採り得ることを利用して、異なる複数のモードによる制御を行えるようにしている
なお、本発明において、通常モードには、従来の通信端末機器によっても可能な電話、メール等の通信機能やカメラ機能が含まれ、特にカメラ機能の場合は、専ら一方の表示部にのみ画像を映し出す機能を指す。また、特定機能モードには、例えば、カメラ機能の場合に、２つの表示部に画像を映し出す機能が含まれる。
【００１６】
請求項４に係る通信端末機器は、請求項３の機器において、第１使用姿勢を採る場合に、第１及び第２表示部の少なくとも一方は、操作画面を表示する。
【００１７】
この機器では、具体的に、第１使用姿勢を採って通常モードになると、第２表示部に操作画面が表され、従来のボタン操作等と同様にして、各種操作を行えるようになっている。
【００１８】
請求項５に係る通信端末機器は、請求項３または４の機器において、第２使用姿勢を採る場合に、第１及び第２表示部は、連携または連結して表示動作を行う。
【００１９】
この機器では、第２使用姿勢を採って特定機能モードになると、２つの表示部が連携または連結されて１つの表示内容を表示できるようになる。
【００２０】
請求項６に係る通信端末機器は、請求項３から５のいずれか１項の機器において、特定機能には、ワイドカメラ機能が含まれる。
【００２１】
この機器では、具体的に、第２使用姿勢を採ってワイドカメラ機能が選択された場合は、２つの表示部に跨って撮影した画像を表示することができ、通信端末機器の利用範囲が広がる。
【００２２】
なお、本発明において、ワイドカメラ機能とは、通信端末機器に設けられたカメラで撮影した画像を２つの表示部に跨って表示させることのできる機能をいう。
【発明の効果】
【００２３】
本発明によれば、２つの筐体のいずれにも表示パネルを設けられていることから、使用姿勢において、一方の表示パネルに操作画面を表示させて、従来の操作ボタンと同様な入力操作を行ったり、２つの表示パネルに跨って１つの画像を表示させたりすることができ、従来にない種々の利用形態が創出される。
【発明を実施するための最良の形態】
【００２４】
［携帯電話機の構成］
図１〜図３に、本発明の一実形態が採用された携帯電話機１を示す。
【００２５】
この携帯電話機１は、使用姿勢と待機姿勢との間で開閉可能な折り畳み式のものであって、第１筐体３と、第２筐体５とを備えている。
【００２６】
第１筐体３は、薄型の直方体形状のものであり、内面側に設けられた第１表示パネル１１及びスピーカ部１３と、第２筐体５側の端部に設けられた接続部１５と、外面側に設けられたカメラ部１７とを有する。第１表示パネル１１は、液晶ディスプレイで構成され、制御部７（後述）により所定の表示内容が表示される。スピーカ部１３は、通話中の相手側からの電気信号を音声情報に変換して発生するものである。接続部１５は、第２筐体５に装着される部分である。カメラ部１７は、図示しないレンズ及び撮像素子等を有しており、外部から取り込んだ画像情報を制御部７を介して表示パネル１１，２１に表示させることができる。
【００２７】
第２筐体５は、薄型の直方体形状のものであり、内面側に設けられた第２表示パネル２１及びマイク部２３と、第１筐体３側の端部に設けられた接続部２５と、側部に設けられた操作ボタン２７（図４参照）と、側部及び端部にそれぞれ設けられたジョグダイヤル２９，３０とを有している。第２表示パネル２１は、タッチパネル式の液晶ディスプレイで構成されており、制御部７により所定の表示内容が表示される。マイク部２３は、利用者の声等の音声情報を相手側に送る電気信号に変換するものである。
【００２８】
接続部２５は、第１筐体３の接続部１５と共に、第１及び第２筐体３，５を回動自在にするヒンジを構成し、第１及び第２筐体３，５の互いの内面が対向するよう閉じた待機姿勢と、第１及び第２筐体３，５が開いた使用姿勢（図２及び図３参照）とを採り得る。使用姿勢には、図２に示す第１使用姿勢と、図３に示す第２使用姿勢とが含まれる。第１筐体３及び第２筐体５は、第１使用姿勢では１６５°の角度をなして開き、第２使用姿勢では１８０°の角度をなして開くようになっており、いずれの姿勢でも、２つの表示部１１，２１は利用者に対して同じ側を向くようになっている。また、２つの接続部１５，２５の間には、第１及び第２筐体３，５の相対角度を検知するためのセンサ２６が配置されている。
【００２９】
操作ボタン２７は、後述するワイドカメラモードにおいて、シャッターを切るためのシャッターボタンとして機能する。
【００３０】
ジョグダイヤル２９，３０は、ワイドカメラモードにおいて、後述するカーソル３１（図４参照）を上下及び左右方向に動かすためのものである。
【００３１】
これら２つの筐体３，５の内部には、制御部７が配置されている。
制御部７は、図１に示すように、第１及び第２表示パネル１１，２１、スピーカ部１３、マイク部２３、カメラ部１７及びセンサ２６に接続されている。制御部７は、センサ２６によって検知された角度に応じていずれの使用姿勢にあるかを判断し、第１使用姿勢では通常モードによる制御を行い、第２使用姿勢ではワイドカメラモードによる制御を行うよう構成されている。
【００３２】
通常モードでは、通話、メールの送受信ができるほか、従来と同様のカメラモードによる撮影を行うことができる。制御部７は、通常モードでは、第１表示パネル１１には時計表示等を含む待受画面や通常のカメラモードでの撮影映像を表示するとともに、第２表示パネル２１には操作画面２２を表示する。操作画面２２には、利用者の入力操作を受け付けるテンキー等の種々のボタンが表示され、従来の携帯電話機の操作ボタンと同様の操作を行えるようになっている。
【００３３】
ワイドカメラモードでは、カメラ部１７によって撮影された画像を、第１及び第２表示パネル１１，２１に跨って表示することができる。すなわち、ワイドカメラモードでは、２つの表示パネルに１つの表示内容を表示できるようになっている。また、ワイドカメラモードでは、過去にワイドカメラモードで撮影した画像を表示させることもできる。また、ワイドカメラモードでは、制御部７は、画像の一部の領域を切り出す機能を有しており、この場合は、図４に示すように、所定の大きさのカーソル３１を表示させ、ジョグダイヤル２９，３０によってこのカーソル３１を動かして切り出したい任意の位置に移動させることができる。
【００３４】
なお、制御部７は、待機姿勢でも、電話やメールの着信通知や、時計、タイマー等に関する制御を行えるようになっている。
【００３５】
［携帯電話機の動作］
次に、携帯電話機１の動作について説明する。
【００３６】
この携帯電話機１において、電話、メール機能等を利用する場合は、第１筐体３及び第２筐体５を開いて第１使用姿勢にする。すると、通常モードによる制御が行われ、電話、メール機能や、従来と同様のカメラ機能を利用することができる。このとき、第２表示パネル２１には、操作画面２２が表示され、利用者は、相手先の電話番号の入力やメールの作成をしたり、シャッターを切ったりすることができる。
【００３７】
一方、ワイドカメラモードを利用する場合は、第１及び第２筐体３，５を第１使用姿勢からさらに開いて第２使用姿勢にする。すると、ワイドカメラモードに切り替わり、カメラ部１７により撮影された画像が、第１及び第２表示パネル２１の両方に跨って表示されるようになる。そして、所定のタイミングで操作ボタン２７を押すことでシャッターを切ることができる。
【００３８】
このようなワイドカメラモードでは、さらに、図４に示すように所定のカーソル３１を表示させ、さらにジョグダイヤル２９，３０で任意の位置に移動させて一部の領域のみを切り出すことができる。このようにして切り出された画像は、例えば、携帯電話機１を第１使用姿勢に戻して通常モードに切り替えて、メール送信することができる。
【００３９】
以上の携帯電話機１によれば、２つの筐体のいずれにも表示パネルが設けられていることから、一方の表示パネルに操作画面２２を表示させて従来の操作ボタンと同様にして入力操作を行ったり、ワイドカメラモードのように２つの表示パネルで１つの画像を表示させたりすることができ、利用範囲が広がる。
【００４０】
例えば、このような携帯電話機１によれば、通常モードにおいて、一方の筐体で通話中の相手の顔を映し出すテレビ電話をするのと同時に他方の筐体で通話中の相手に見せるためのカメラ撮影による画像を撮したり、或いは、一方の筐体でカメラ撮影による画像を表示するとともに、他方の筐体では従来のカメラモードでは表示されなかった待受画面を表示したりすることができる。
【００４１】
［他の実施形態］
（ａ）携帯電話機は、３種以上の使用姿勢を採り使用姿勢ごとに異なる制御が行われるよう構成されても良い。また、各使用姿勢の角度は、上記実施形態で説明したものに限定されない。
【００４２】
（ｂ）上記実施形態において、操作画面は、第２表示パネルに代えて第１表示パネルに表示されても良く、また、２つの表示部に跨って表示されても良い。
【００４３】
（ｃ）２つの表示パネルは、連携せずに別々の表示が行われるよう制御されても良い。
（ｄ）携帯電話機は、折り畳み式のもののみでなく、リボルバー式であっても良く、或いは、これらの複合型であっても良い。
【００４４】
（ｅ）本発明は、２種以上の姿勢を採り得る２つの筐体を備えた通信端末機器であれば適用可能であり、携帯電話機のほか、ＰＤＡ（携帯情報端末）、モバイルコンピュータ等の他の通信端末機器にも適用可能である。
【図面の簡単な説明】
【００４５】
【図１】本発明の一実施形態が採用された携帯電話機の構成を模式的に示すブロック図。
【図２】第１使用姿勢にある前記携帯電話機を示す斜視図。
【図３】第２使用姿勢にある前記携帯電話機を示す斜視図。
【図４】図３の携帯電話機を示す平面図。
【符号の説明】
【００４６】
１  携帯電話機
３  第１筐体
５  第２筐体
１１  第１表示パネル
２１  第２表示パネル
【図１】
2005260314.tif 000003
【図２】
2005260314.tif 000004
【図３】
2005260314.tif 000005
【図４】
2005260314.tif 000006